(57)【要約】      （修正有）【課題】放射線による睾丸への被爆を容易且つ的確に遮蔽することができ、かつ、簡便に使用することができるプロテクターを提供する。【解決手段】使用者の股間部に装着され使用者の睾丸を放射線から保護するためのプロテクター１であって、使用者の股間部を前面から覆うと共に使用者の睾丸を収納する弾性変形可能な略碗状のプロテクター本体２を備えており、前記プロテクター本体は、放射線遮蔽材を含有する樹脂成形体であることを特徴とするプロテクター。【選択図】図１
2019132819.tif 000002
【特許請求の範囲】
【請求項１】
使用者の股間部に装着され使用者の睾丸を放射線から保護するためのプロテクターであって、
使用者の股間部を前面から覆うと共に使用者の睾丸を収納する弾性変形可能な略碗状のプロテクター本体を備えており、
前記プロテクター本体は、放射線遮蔽材を含有する樹脂成形体であることを特徴とするプロテクター。
【請求項２】
前記放射線遮蔽材は、タングステン粉末であり、その平均粒子径は１μｍ以上５μｍ以下の範囲であることを特徴とする請求項１に記載のプロテクター。
【請求項３】
前記放射線遮蔽材を含む前記プロテクター本体の比重は、２ｇ／ｃｍ３以上１５ｇ／ｃｍ３以下の範囲であることを特徴とする請求項１または２に記載のプロテクター。
【請求項４】
前記略碗状のプロテクター本体は、使用者の体表面に当接可能な開口縁部と、睾丸が収納される収納部とを備えており、前記収納部の厚みは、２ｍｍ以上２０ｍｍ以下であることを特徴とする請求項１から３のいずれかに記載のプロテクター。
【請求項５】
前記略碗状のプロテクター本体は、使用者の体表面に当接可能な開口縁部と、睾丸が収納される収納部とを備えており、
前記開口縁部は、肛門の直下領域に配置されて肛門に重なるように構成される舌片状の部分を備えていることを特徴とする請求項１から３のいずれかに記載のプロテクター。
【請求項６】
前記プロテクター本体の外表面には、タングステンシートが積層されていることを特徴とする請求項１から５のいずれかに記載のプロテクター。
【発明の詳細な説明】
【技術分野】
【０００１】
本発明は、プロテクターに関する。特に、放射線による睾丸の被爆を防止するプロテクターに関する。
【背景技術】
【０００２】
放射性物質による人体への悪影響を考慮した服としては、例えば、放射性ダスト等の放射性物質が人体に被着することを防止する放射能防護服や、放射性物質が放射する放射線を遮蔽する放射線防護服とが存在する。
【０００３】
上記放射能防護服は、放射性ダストが空中に浮遊等していても、この放射性ダストが人体に被着せずに服に被着し、その後服に被着した放射性ダスト等を洗い流すことによって、この放射性ダストが人体に悪影響を及ぼすことを防止することができる。しかし、この放射能防護服は、放射線自体を遮蔽するものではなく、この放射能防護服を着用していても着用者が放射線を浴び被爆してしまう。
【０００４】
一方、上記放射線防護服にあっては、例えば原子力発電所内での作業を行う場合において、作業者の被爆を防ぐために用いられている。この放射線防護服としては、放射線を遮蔽するために鉛を含有する層を設けたものが一般的に用いられている。しかし、鉛は健康被害等が懸念され、耐用期間を過ぎた放射線防護服を廃棄する際に細心の注意が必要となる。
【０００５】
また、上記放射線防護服としては、ポリウレタン等のポリマーに放射線不透過性材料を混合したポリマー層を有するものも提案されている（先行文献１）。この先行文献には、放射線不透過性材料として、鉛のほかに硫酸バリウムやタングステン等が例示されている。しかしながら、この先行文献に記載の放射線防護服は、高い放射線遮蔽効果を持たせるよう作成されているので、放射線不透過性材料を多量に含ませる必要があり、結果として、非常に重く、さらに高額となる。
【０００６】
また、特に、原子力発電所等で働いている男性や、原子力発電所の近郊で居住している男性の場合、睾丸に対する放射線による被爆が将来的に大きな悪影響を受けるのではないかとの懸念を抱く場合も多く、簡便にかつ効果的に睾丸への放射線被爆を抑制できるようなプロテクターが望まれている。
【先行技術文献】
【特許文献】
【０００７】
【特許文献１】特表２００８−５３８１３６号公報
【発明の概要】
【発明が解決しようとする課題】
【０００８】
本発明は、このような事情に鑑みてなされたものであり、放射線による睾丸への被爆を容易且つ的確に遮蔽することができ、かつ、簡便に使用することができるプロテクターの提供を目的とする。
【課題を解決するための手段】
【０００９】
本発明の上記目的は、使用者の股間部に装着され使用者の睾丸を放射線から保護するためのプロテクターであって、 使用者の股間部を前面から覆うと共に使用者の睾丸を収納する弾性変形可能な略碗状のプロテクター本体を備えており、前記プロテクター本体は、放射線遮蔽材を含有する樹脂成形体であることを特徴とするプロテクターにより達成される。このような構成のプロテクターによれば、放射線による睾丸への被爆を容易且つ的確に遮蔽することができ、また、プロテクターを装着した状態でパンツやスパッツ等の下着を着用することも可能となることから、簡便に使用することが可能となる。
【００１０】
また、上記プロテクターにおいて、前記放射線遮蔽材は、タングステン粉末であり、その平均粒子径は１μｍ以上５μｍ以下の範囲であることが好ましい。このようなタングステン粉末を放射線遮蔽材として使用することにより、放射線遮蔽材をプロテクター本体の全体に亘って均一に分散させることが可能となり、プロテクター本体において局所的に放射線遮蔽材が偏ってしまうことを効果的に抑制することが可能となる。
【００１１】
また、前記放射線遮蔽材を含む前記プロテクター本体の比重は、２ｇ／ｃｍ３以上１５ｇ／ｃｍ３以下の範囲であることが好ましい。このような数値範囲に設定することにより、効果的に放射線を遮蔽しつつ、プロテクター本体をできるだけ薄く形成することが可能となり、使用者のプロテクター使用時の不快感を低減させることが可能となる。
【００１２】
また、前記略碗状のプロテクター本体は、使用者の体表面に当接可能な開口縁部と、睾丸が収納される収納部とを備えており、前記収納部の厚みは、２ｍｍ以上２０ｍｍ以下であることが好ましい。
【００１３】
また、前記略碗状のプロテクター本体は、使用者の体表面に当接可能な開口縁部と、睾丸が収納される収納部とを備えており、前記開口縁部は、肛門の直下領域に配置されて肛門に重なるように構成される舌片状の部分を備えるように構成してもよい。
【００１４】
また、前記プロテクター本体の外表面は、タングステンシートを積層して構成してもよい。このような構成の場合、放射線の遮蔽効果をより一層高めることが可能となる。
【発明の効果】
【００１５】
本発明によれば、放射線による睾丸への被爆を容易且つ的確に遮蔽することができ、かつ、簡便に使用することができるプロテクターを提供することができる。
【図面の簡単な説明】
【００１６】
【図１】本発明に係るプロテクターの斜視図（収納部内面側を見た斜視図）である。
【図２】本発明に係るプロテクターの斜視図（収納部外面側を見た斜視図）である。
【図３】本発明に係るプロテクターの平面図である。
【図４】本発明に係るプロテクターの底面図である。
【図５】本発明に係るプロテクターの側面図である。
【図６】図３におけるＡ−Ａ断面についての概略構成断面図である。
【図７】本発明に係るプロテクターの変形例を示す概略構成断面図である。
【発明を実施するための形態】
【００１７】
以下、本発明に係るプロテクター１１について、添付図面を参照して説明する。なお、各図は、構成の理解を容易ならしめるために部分的に拡大・縮小している。図１及び図２は、本発明に係るプロテクター１の斜視図であり、図３、平面図である。また、図４、底面図であり、図５は、側面図、図６は、図３のＡ−Ａ断面における概略構成断面図である。なお、図１は、プロテクター１における収納部内面を見た場合の斜視図であり、図２は、収納部外面側から見た斜視図である。このプロテクター１は、使用者の股間部に装着され、放射線による睾丸への被爆を防止するためのプロテクター１であり、図１〜図６に示すように、プロテクター本体２を備えている。このプロテクター本体２は、使用者の股間部を前面から覆うと共に使用者の睾丸を収納する弾性変形可能な略碗状（カップ状）に構成されている。より具体的には、略碗状のプロテクター本体２は、使用者の体表面に当接可能な開口縁部３と、ペニス及び睾丸が収納される収納部４とを備えて構成されている。開口縁部３は、平面視において、角部を曲線構造とした略二等辺三角形状となるように形成されている。プロテクター１を所定位置（股間部）に設置された状態においては、開口縁部３における短辺を構成する側縁部３ａが、ペニスよりも上方であってへそよりも下方の位置に配置され、開口縁部３における頂角に対応する部分３ｂは、睾丸と肛門との間に配置される。なお、収納部４の深さは、ペニス及び睾丸を収納でき、かつ、収納される睾丸等が収納部４の内面との間で圧迫されて使用者に痛みや不快感を与えない程度の寸法として構成される。また、開口縁部３は、使用者の体表面と密着する形状として構成されることが好ましい。特に、収納部４内に収納された睾丸が、プロテクター本体２と人体表面との間で密封されるような形状として構成されることが好ましい。また、開口縁部３の肉厚は、開口縁部３における短辺を構成する側縁部３ａを含む周辺部分や、開口縁部３における頂角に対応する部分３ｂを含む周辺部分が、他の部分と比べて大きくなるように構成してもよい。
【００１８】
また、プロテクター本体２は、放射線遮蔽材を含有する樹脂成形体として構成されている。樹脂材料としては、柔軟性と復元性のある樹脂材料であれば特に限定されないが、例えば、合成ゴム類、生ゴム、シリコーンゴム、合成樹樹脂等を好ましく使用することができる。
【００１９】
また、樹脂材料中に分散される放射線遮蔽材としては、様々な金属材料を例示することが可能であるが、例えば、タングステン、モリブデン、クロム、バナジウム、ニオブ、ニッケル、鉛、バリウムからなる群、および、これらの酸化物からなる群の中から選出された１種以上を配合したものである等を挙げることができる。特に、放射線遮蔽材としては、平均粒子径が１μｍ以上５μｍ以下の範囲となる金属粉末を採用することが好ましい。金属粉末の平均粒子径としては、２μｍ以上４μｍ以下の範囲のものを使用することがより好ましい。本実施形態においては、平均粒子径が３μｍのタングステン粉末を用いている。
【００２０】
また、放射線遮蔽材を含むプロテクター本体２の比重は、２ｇ／ｃｍ３以上１５ｇ／ｃｍ３以下の範囲となるように構成することが好ましい。また、収納部４の厚みｔ（収納部４を構成する部分のプロテクター本体２の厚みｔ）は、２ｍｍ以上２０ｍｍ以下の範囲として形成することが好ましい。
【００２１】
このようなプロテクター１は、例えば、加熱し軟化した樹脂材料（例えば、ゴムやシリコーンゴム）に、所定の放射線遮蔽材（タングステン粉末等）を混合し、その後、直圧成形や、直圧注入成形、射出成形等することにより製造することができる。
【００２２】
ここで、プロテクター１を股間部に装着した場合に、位置ずれやめくれが発生しないようにするため、プロテクター本体２における収納部４の剛性が比較的高くなるように構成することが好ましい。一方、開口縁部３は、使用者の体の表面と接触する部分であることから、装着時の痛みや不快感を使用者に与えないために、比較的剛性が低くなるように（柔らかくなるように）構成することが好ましい。
【００２３】
このような構成のプロテクター１によれば、放射線による睾丸への被爆を容易且つ的確に遮蔽することができ、また、プロテクター１を装着した状態でパンツやスパッツ等の下着を着用することも可能となることから、簡便に使用することが可能となる。
【００２４】
また、平均粒子径が１μｍ以上５μｍ以下の範囲の金属粉末（タングステン粉末等）を放射線遮蔽材としてプロテクター１を構成することにより、放射線遮蔽材がプロテクター本体２の全体に亘って均一に分散させることが可能となり、プロテクター本体２において局所的に放射線遮蔽材が偏ってしまうことを効果的に抑制することが可能となる。
【００２５】
また、放射線遮蔽材を含む前記プロテクター本体２の比重を、２ｇ／ｃｍ３以上１５ｇ／ｃｍ３以下の範囲に設定することにより、効果的に放射線を遮蔽しつつ、プロテクター本体２をできるだけ薄く形成することが可能となり（例えば、収納部４の厚みｔを２ｍｍ以上２０ｍｍ以下に形成することが可能となり）、使用者のプロテクター使用時の不快感を低減させることが可能となる。
【００２６】
以上、本発明の一実施形態に係るプロテクター１について説明したが、プロテクター１の具体的構成は、上記実施形態に限定されない。例えば、プロテクター本体２の外表面（睾丸が収納される収納部４とは反対側の面）に、タングステンシートを更に積層するように構成してもよい。このタングステンシートは、接着剤を介して、プロテクター本体２の外表面に貼着して積層することができる。このようなタングステンシートを積層することにより、放射線の遮蔽効果をより一層高めることが可能となり、睾丸への放射線による被爆を抑制することが可能となる。
【００２７】
また、上記実施形態におけるプロテクター本体２の開口縁部３上に、肌あたりが柔らかく、密着性に優れる縁取り部材を積層してもよい。このような縁取り部材としては、シリコーンゴムや、布帛、きめの細かいスポンジ等を例示することができる。なお、開口縁部３と縁取り部材との積層に際しては、接着剤を介在させればよい。
【００２８】
また、本発明に係るプロテクター１は、肌の上に直接的に配置してもよいが、例えば、別途、パンツやスパッツ等の下着において、ペニスや睾丸に対向する表面上に本発明に係るプロテクター１を収容するポケット部を設け、当該ポケット部の内側にプロテクター１を収容して使用することもできる。
【００２９】
また、上記実施形態においては、プロテクター１の開口縁部３における頂角に対応する部分３ｂが、睾丸と肛門との間に配置されるように構成されているが、このような構成に限定されず、例えば、開口縁部３における頂角に対応する部分３ｂが、睾丸側から見て肛門をこえる位置に配置されるような形態として構成し、睾丸及び肛門の両方が、収納部４の内側に配置されるように構成してもよい。また、図７の概略構成断面図に示すように、開口縁部３における頂角に対応する部分３ｂを幅広形状に形成し、当該幅広の舌片状の部分３ｂが、肛門の直下領域に配置され、肛門に重なるように構成してもよい。
【符号の説明】
【００３０】
１  プロテクター
２  プロテクター本体
３  開口縁部
４  収納部
【図１】
2019132819.tif 000003
【図２】
2019132819.tif 000004
【図３】
2019132819.tif 000005
【図４】
2019132819.tif 000006
【図５】
2019132819.tif 000007
【図６】
2019132819.tif 000008
【図７】
2019132819.tif 000009